(57)【特許請求の範囲】
【請求項１】
車両のドアを非接触式に締錠及び／又は開錠し及び／又は車両を運転するためのハウジング（２）内に配置された送信電子機器、並びに車両のドアを機械的に締錠及び／又は開錠し及び／又は車両を運転するための締錠本体（２０）及びキーリング（１０）を留めるために適した取出本体（２１）を有する緊急キー（３）を備える車両用のキーシステム（１）において、
前記緊急キー（３）が第１停止位置で前記ハウジング（２）内に完全に収容されていて、且つ、前記緊急キー（３）が前記第１停止位置と異なる第２停止位置で前記キーリングを通すための前記取出本体（２１）を手で摘めるように、前記緊急キー（３）が前記ハウジング（２）内に収容可能であることを特徴とするキーシステム（１）。
【請求項２】
前記緊急キー（３）は、前記ハウジング（２）の縁部分（４）内に完全に収容可能である請求項１に記載のキーシステム（１）。
【請求項３】
前記緊急キー（３）と前記ハウジング（２）とは、互いに完全に分離可能であることを特徴とする請求項１又は２に記載のキーシステム（１）。
【請求項４】
前記締錠本体（２０）と前記取出本体（２１）とは、互いに可動に連結されていることを特徴とする請求項１〜３のいずれか１項に記載のキーシステム（１）。
【請求項５】
前記締錠本体（２０）と前記取出本体（２１）とは、蝶番（２４）によって互いに連結されていることを特徴とする請求項４に記載のキーシステム（１）。
【請求項６】
前記緊急キー（３）は、車両のドアを機械的に締錠及び／又は開錠し及び／又は車両を運転するための締錠部材（２２）並びに挿入本体（２３）を有し、この締錠部材（２２）が、前記挿入本体（２３）内に挿入可能であることを特徴とする請求項１〜５のいずれか１項に記載のキーシステム（１）。
【請求項７】
前記緊急キー（３）は、キーリング（１０）を留めるために適した取出本体（２１）を有することを特徴とする請求項６に記載のキーシステム（１）。
【請求項８】
前記挿入本体（２３）と前記取出本体（２１）とは、互いに可動に連結されていることを特徴とする請求項７に記載のキーシステム（１）。
【請求項９】
前記挿入本体（２３）と前記取出本体（２１）とは、蝶番（２４）によって互いに連結されていることを特徴とする請求項７又は８に記載のキーシステム。
【請求項１０】
前記第２停止位置にある前記緊急キー（３）は、前記取出本体（２１）が旋回可能であるように前記ハウジング（２）内に収容されていることを特徴とする請求項１〜９のいずれか１項に記載のキーシステム（１）。
【請求項１１】
前記第２停止位置にある前記緊急キー（３）は、前記締錠本体（２０）が前記ハウジング（２）内に収容されている範囲で前記ハウジング（２）内に収容されていることを特徴とする請求項１〜１０のいずれか１項に記載のキーシステム（１）。
【請求項１２】
前記緊急キー（３）は、前記第２停止位置の解除時に前記ハウジング（２）内に挿入可能であることを特徴とする請求項１〜１１のいずれか１項に記載のキーシステム（１）。
【請求項１３】
前記緊急キー（３）は、前記第２停止位置の解除時に前記ハウジング（２）から取り外し可能であることを特徴とする請求項１〜１２のいずれか１項に記載のキーシステム（１）。
【請求項１４】
前記キーシステム（１）は、前記第２停止位置を解除する押しボタン（６）を有することを特徴とする請求項１〜１３のいずれか１項に記載のキーシステム（１）。
【請求項１５】
前記ハウジング（２）は、キーリング（３３，４５，５６，６５）を留めるために適した収容要素（３２，４２，５２，６２）を有することを特徴とする請求項１〜１４のいずれか１項に記載のキーシステム（１）。
【請求項１６】
前記収容要素（３２，４２，５２，６２）は、前記ハウジング（２）に可動に連結し、この収容要素（３２，４２，５２，６２）が前記ハウジング（２）と共に１つの密閉されているユニットを形成するロック位置と、キーリング（３３，４５，５６，６５）を前記収容要素（３２，４２，５２，６２）内に通すことが可能であるキーリング通し位置とに少なくとも配置可能であることを特徴とする請求項１５に記載のキーシステム（１）。
【請求項１７】
車両のドアを非接触式に締錠及び／又は開錠し及び／又は車両を運転するためのハウジング（２）内に配置された送信電子機器を有する車両用のキーシステム（３０，４０，５０，６０）において、
前記ハウジング（２）は、キーリング（３３，４５，５６，６５）を収容するために適した収容要素（３２，４２，５２，６２）を有し、この収容要素（３２，４２，５２，６２）は、前記ハウジング（２）に可動に連結し、且つ前記ハウジング（２）と共に１つの密閉されているユニットを形成するロック位置と、キーリング（３３，４５，５６，６５）を前記収容要素（３２，４２，５２，６２）内に通すことが可能であるキーリング通し位置とに少なくとも配置可能であることを特徴とするキーシステム（３０，４０，５０，６０）。
【請求項１８】
前記キーシステム（３０，４０，５０，６０）は、車両のドアを機械的に締錠及び／又は開錠し及び／又は車両を運転するための緊急キー（３）を有し、この緊急キー（３）の少なくとも一部が、前記ハウジング (２) 内に収容可能であることを特徴とする請求項１７に記載のキーシステム（３０，４０，５０，６０）。
【請求項１９】
前記緊急キー（３）は、前記ハウジング（３）内に完全に収容可能であることを特徴とする請求項１７又は１８に記載のキーシステム（３０，４０，５０，６０）。
【発明の詳細な説明】
【技術分野】
【０００１】
本発明は、車両のドアを非接触式に締錠及び／又は開錠し及び／又は車両を運転するためのハウジング内に配置された送信電子機器並びに車両のドアを機械的に締錠及び／又は開錠し及び／又は車両を運転するための緊急キーを有する車両用のキーシステムに関する。
【背景技術】
【０００２】
本発明の意味での車両は、特に道路交通で個々に利用可能な地上車である。本発明の意味での車両は、特に内燃機関を有する地上車に限定されていない。本発明の意味での（車両の）ドアは、特にドア，後部開閉板若しくは全部開閉板又はボンネットでもよい。本発明の意味での機械的に実施される車両の運転に必要な作られた緊急キーは、特に機械的なスターターキーに相当する。
【０００３】
緊急キーをキーシステムのハウジング内に完全に収容可能にするため、この緊急キーは、本発明の好適な構成ではハウジングの縁部分内に完全に収容可能である。
【０００４】
本発明の別の好適な構成では、緊急キーとハウジングとが完全に互いに分離可能である。緊急キーとハウジングとが完全に互いに分離可能であるということは、本発明の意味では特に緊急キーとハウジングとが破壊することなしにかつ工具なしに完全に互いに分離可能であることを意味する。すなわち、特に緊急キーとハウジングとが、緊急キーを利用するためにコストをかけずに完全に互いに分離可能であることを意味する。
【０００５】
本発明の別の好適な構成では、キーリングを留める緊急キーが形成されている。
【０００６】
本発明の別の好適な構成では、緊急キーが、車両のドアを機械的に締錠及び／又は開錠し及び／又は車両を運転するための締錠本体並びにキーリングを留めるのに適した取出本体を有する。この場合、締錠本体及び取出本体が、本発明のさらに好ましい構成では、好ましくは継手によって、特に蝶番によって互いに連結されて可動である。
【０００７】
本発明の別の好適な構成では、締錠本体又は緊急キーが、車両のドアを機械的に締錠及び／又は開錠し車両を運転するための締錠部材並びに挿入本体を有する。この締錠部材が、この挿入部材内に挿入可能である。
【０００８】
本発明の別の好適な構成では、緊急キーが、キーリングを留めるのに適した取出本体を有する。
【０００９】
本発明の別の好適な構成では、締錠本体及び取出本体が、好ましくは継手によって、特に蝶番によって互いに連結されて可動である。
【００１０】
本発明の別の好適な構成では、緊急キーが、ハウジング内の第１停止位置とこの第１停止位置と異なる第２停止位置とでブロック可能である。
【００１１】
緊急キーは、本発明の別の好適な構成では第１停止位置でハウジング内に完全に収容されていて、好ましくは第２停止位置で−特にキーリング用の取出本体を（キーリングを通す目的で）手で摘めるように−ハウジング内に収容されている。
【００１２】
本発明の別の好適な構成では、緊急キーは、第２停止位置で−特に取出本体が旋回可能であるように−ハウジング内に収容されている。
【００１３】
本発明の別の好適な構成では、緊急キーは、第２停止位置で−特に締錠本体（だけ）がハウジング内に収容されている範囲でハウジング内に収容されている。
【００１４】
本発明の別の好適な構成では、緊急キーは、第２停止位置の解除時にハウジング内に挿入可能である。
【００１５】
本発明の別の好適な構成では、緊急キーは、第２停止位置での解除時にハウジングから取り外し可能である。
【００１６】
本発明の別の好適な構成では、キーシステムは、第２停止位置を解除するための押しボタンを有する。
【００１７】
ハウジングが、キーリングを収容するのに適した収容要素を有することを提唱してもよい。この収容要素は、ハウジングに可動に連結されていて且つロック位置とキーリング通し位置とに少なくとも配置してもよい。収容要素は、このロック位置でハウジングと共に１つの密閉されているユニットを形成する。キーリングは、このキーリング通し位置でこの収容要素に通すことが可能である。
【００１８】
この課題は、車両のドアを非接触式に締錠及び／又は開錠し車両を運転するためのハウジング内に配置された送信電子機器を有する車両用のキーシステムによってさらに解決される。この場合、ハウジングが、キーリングを留めるのに適した収容要素を有する。この収容要素は、ハウジングに可動に接続されていて、ロック位置とキーリング通し位置とに少なくとも配置可能である。収容要素は、このロック位置でハウジングと共に１つの密閉されているユニットを形成する。キーリングは、このキーリング通し位置でこの収容要素に通すことが可能である。
【００１９】
本発明の好適な構成では、キーシステムは、車両のドアを機械的に締錠及び／又は開錠し及び／又は車両を運転するための緊急キーを有する。この場合、緊急キーの少なくとも一部が、好ましくはハウジング内に完全に収容可能である。
【００２０】
その他の利点及び詳細は、以下の実施の形態に記載されている。
【発明の開示】
【発明が解決しようとする課題】
【００２１】
本発明の課題は、このようなキーシステムを改良することにある。
【課題を解決するための手段】
【００２２】
この課題は、車両のドアを非接触式に締錠及び／又は開錠し及び／又は車両を運転するためのハウジング２内に配置された送信電子機器、並びに車両のドアを機械的に締錠及び／又は開錠し及び／又は車両を運転するための締錠本体２０及びキーリング１０を留めるために適した取出本体２１を有する緊急キー３を備える車両用のキーシステム１において、前記緊急キー３が第１停止位置で前記ハウジング２内に完全に収容されていて、且つ、前記緊急キー３が前記第１停止位置と異なる第２停止位置で前記キーリングを通すための前記取出本体２１を手で摘めるように、前記緊急キー３が前記ハウジング２内に収容可能であることによって解決される。この場合、この緊急キーは、完全にハウジング内に収容可能である（そして好ましくはこの位置で嵌合可能である）。
【発明を実施するための最良の形態】
【００２３】
図１は、車両のドアを非接触式に締錠及び／又は開錠し及び／又は車両を運転するためのハウジング２内に配置された送信電子機器並びに車両のドアを機械的に締錠及び／又は開錠し及び／又は車両を運転するための緊急キー３を有する車両用の第１停止位置に存在するキーシステム１の実施の形態を示す。緊急キー３は、ハウジング２の上の縁部分４内に完全に収容されている。緊急キー３は、開口部５を有する。−図５及び図６中に示されたように−キーリング１０を開口部５に通すことが可能である。
【００２４】
緊急キー３は、−図２中に示されたように−その一部がハウジング２から第２停止位置に摺動可能である。−図５及び図６中に示されたように−キーリング１０が、この第２停止位置で開口部５に通すことが可能である。さらに緊急キーが、第２停止位置で押しボタン６を解除する。ハウジング内の停止機構が、押しボタン６を押すことによって解除される。その結果、図３中に示されているように、ハウジング２と緊急キーとが、分離可能であり、２つの引き離された対象を形成できる。
【００２５】
図４，図５及び図６は、キーシステム１の投影図である。図４中には、キーシステム１がその第１停止位置で示されている。矢印７は、緊急キー３（の一部）がハウジング２から第２停止位置に摺動可能であることを意味する。図５及び図６は、第２位置にあるキーシステム１を示す。この場合、キーリング１０を開口部５に通すことが可能である。
【００２６】
図７は、緊急キー３の投影図である。緊急キー３は、車両のドアを機械的に締錠及び／又は開錠し車両を運転するための締錠部材２２並びに挿入本体２３を有する締錠本体２０を備える。締錠部材２２は、二重矢印２５によって示されたように−挿入本体２３内に出し入れ可能である。挿入本体２３は、蝶番２４を介して取出本体２１に屈曲可能に連結されている。こうして、事故時の損傷の危険を低減することができる。図６中には、ハウジング２内の第２停止位置まで挿入されている緊急キー３の取出本体２１が下方に折られている。開口部５が、取出本体２１内に配置されている。
【００２７】
図８は、車両用のキーシステム３０の別の実施の形態を示す。図９は、キーリング３３を有する図８のキーシステム３０の実施の形態を示す。図１０は、図８のキーシステム３０の実施の形態の投影図である。図１１は、図９のキーシステム３０の実施の形態の投影図である。キーシステム３０は、車両のドアを非接触式に締錠及び／又は開錠し及び／又は車両を運転するためのハウジング３１内に配置された送信電子機器並びにキーリング３３を留めるのに適したハンガー形の収容要素３２を有する。収容要素３２は、ハウジング３１に可動に連結されている。
【００２８】
図８及び図１０中に示された位置では、ハンガー形の収容要素３２が、ハウジング３１の表面に一体的に締められている。その結果、収容要素３２は、ハウジング３１の基本形から突出していない。−図９及び図１１中に示したように−ハンガー形の収容要素３２は下方に折ることができる。その結果、キーリング３３を収容要素に通すことが可能である。
【００２９】
図１２は、キーシステム４０の別の実施の形態を示す。図１３は、開かれた状態の図１２のキーシステム４０の実施の形態を示す。図１４は、通されたキーリング４５を有する図１２のキーシステム４０の実施の形態を示す。図１５は、図１２のキーシステム４０の実施形態の投影図である。図１６は、図１３のキーシステム４０の実施の形態の投影図であるが、見易さの理由からキーリング４５を省略する。図１７は、図１４のキーシステム４０の実施の形態の投影図である。キーシステム４０は、車両のドアを非接触式に締錠及び／又は開錠し及び／又は車両を運転するためのハウジング４１内に配置された送信電子機器並びにキーリング４５を留めるのに適したハンガー形の収容要素４２を有する。
【００３０】
図１２及び図１５中に示された位置では、収容要素４２が、ハウジング４１の前面に一体的に形成されている。ハウジングは、押しボタン４３を有する。押しボタン４３が押されると、収容要素４２が、図１３及び図１６中に示された位置に向かって矢印４４の方向に移動する。収容要素４２は、長いホルダーピン４８及び短いホルダーピン４９を有する。この長いホリダーピン４８は、図１３及び図１６中に示された位置で収容要素４２をハウジング４１に連結させる。図１３中に示されたように−キーリング４５を、この位置でハウジング４１と短いホルダーピン４９との間に通すことができる。
【００３１】
収容要素４２は、キーリング４５を通した後にハウジング４１に向かって矢印４６の方向に移動され得る。その結果、長いホルダーピン４８と短いホルダーピン４９の双方が、収容要素４２をハウジング４２に連結させ、キーリング４５が収納されている。
【００３２】
図１８は、キーシステム５０の別の実施の形態を示す。キーシステム５０は、車両のドアを非接触式に締錠及び／又は開錠し及び／又は車両を運転するためのハウジング５１内に配置された送信電子機器並びにキーリング５６を留めるのに適した開口部５４を有する収容要素５２を備える。収容要素５２は、ピン５３によって矢印５７の方向に旋回可能にハウジング５１に連結されている。
【００３３】
図１９は、開かれた状態、すなわち収容要素５２を旋回した後のキーシステム５０を示す。キーリング５６が、この状態で開口部５４に通すことができる。収容要素５２は、キーリング５６を通した後に旋回して戻され得る。この場合、凹部５５が、キーリング５６用にハウジング５１に設けられている。図２０は、通されたキーリング５６を有するキーシステム５０を新たに閉じられた状態で示す。
【００３４】
図２１は、キーシステム６０の別の実施の形態を示す。キーシステム６０は、車両のドアを非接触式に締錠及び／又は開錠し及び／又は車両を運転するためのハウジング６１内に配置された送信電子機器並びにキーリング６５を留めるのに適しかつハウジング６１から取り外し可能な収容要素６２を有する。図２２は、キーシステム６０の投影図である。この場合、収容要素６２は、ハウジング６１から分離されている。収容要素６２は、開口部６３を有する。キーリング６５が、この開口部６３に通されている。
【００３５】
ハウジング６１は、窪部６４を有する。収容要素６２が、−図２３中に示されたように−矢印６６の方向にハウジング６１に向かって移動される時に、収容要素６２は、この窪部６４に嵌合できる。図２４は、閉じられた状態、すなわち収容要素６２が通されたキーリング６５と共にハウジング６１に向かって移動した後のキーシステム６０を示す。図２５は、半分開いた状態のキーシステム６０を示す。収容要素６２をハウジング６１に対して矢印６７の方向に摺動させることによって、収容要素６２は、ハウジング６１から分離され得る。
【００３６】
各キーシステム３０，４０，５０又は６０は、車両のドアを機械的に締錠及び／又は開錠し及び／又は車両を運転するための１つの図示しなかった緊急キーを有する。この場合、緊急キーの少なくとも一部が、好ましくはハウジング３１，４１，５１又は６１内に完全に収容可能である。
【００３７】
特にキーシステム３０，４０，５０又は６０に関連して、ハウジング３１，４１，５１又は６１を少なくとも２つの部分に、すなわち少なくとも２つの部分から構成することが提唱され得る。この場合、ハウジング３１，４１，５１又は６１の両部分が２つに分かれることによってハウジング３１，４１，５１又は６１の開口部を形成するか又は完全に互いに分離可能である。ハウジング３１，４１，５１又は６１の両部分が完全に互いに分離可能であることは、本発明の意味では特にハウジング３１，４１，５１又は６１の両部分が破壊することなしにまた工具なしに完全に互いに分離可能であることを意味する。すなわち、キーの使用者用のハウジング３１，４１，５１又は６１の両部分が、コストをかけずに完全に互いに分離可能であることを意味する。ハウジング３１，４１，５１又は６１が開かれている場合、緊急キーを取り出すことができる。
【図面の簡単な説明】
【００３８】
【図１】第１停止位置にあるキーシステムの実施の形態を示す。
【図２】第２停止位置にある図１のキーシステムの実施の形態を示す。
【図３】緊急キーがハウジングから取り外されている図１のキーシステムの実施の形態を示す。
【図４】第１停止位置にある図１のキーシステムの実施の形態の投影図である。
【図５】第２停止位置にある図１のキーシステムの実施の形態の投影図である。
【図６】第２停止位置にある図１のキーシステムの実施の形態の投影図である。
【図７】緊急キーの実施の形態を示す。
【図８】キーシステムの別の実施の形態を示す。
【図９】キーリングを有する図８のキーシステムの実施の形態を示す。
【図１０】図８のキーシステムの実施の形態の投影図である。
【図１１】図９のキーシステムの実施の形態の投影図である。
【図１２】キーシステムの別の実施の形態を示す。
【図１３】開いた状態の図１２のキーシステムの実施の形態を示す。
【図１４】キーリングが通されている図１２のキーシステムの実施の形態を示す。
【図１５】図１２のキーシステムの実施の形態の投影図である。
【図１６】図１３のキーシステムの実施の形態の投影図である。
【図１７】図１４のキーシステムの実施の形態の投影図である。
【図１８】キーシステムの別の実施の形態の投影図である。
【図１９】開いた状態の図１８のキーシステムの実施の形態を示す。
【図２０】キーリングが通されている開いた状態の図１８のキーシステムの実施に形態を示す。
【図２１】キーシステムの別の実施の形態を示す。
【図２２】開いた状態の図２１のキーシステムの実施の形態の投影図である。
【図２３】開いた状態の図２１のキーシステムの実施の形態を示す。
【図２４】キーリングが通されている開いた状態の図２１のキーシステムの実施の形態を示す。
【図２５】半分開いた状態の図２１のキーシステムの実施の形態を示す。
【符号の説明】
【００３９】
１，３０，４０，５０，６０        キーシステム
２，３１，４１，５１，６１        ハウジング
３ 緊急キー
４ 縁部分
５，５４                          開口部
６３                              開口部
６，４３                          押しボタン
７，４４，４６，５７，６６，６７  矢印
１０，３３，４５，５６，６５      キーリング
２３                              挿入本体
２１                              取出本体
２２                              締錠部材
２５                              二重矢印
２４                              蝶番
２０                              締錠本体
３２，４２，５２，６２            収容要素
４８                              長いホルダーピン
４９                              短いホルダーピン
５３                              ピン
５５                              凹部
６４                              窪部
【図１】
0004611986.tif 000002
【図２】
0004611986.tif 000003
【図３】
0004611986.tif 000004
【図４】
0004611986.tif 000005
【図５】
0004611986.tif 000006
【図６】
0004611986.tif 000007
【図７】
0004611986.tif 000008
【図８】
0004611986.tif 000009
【図９】
0004611986.tif 000010
【図１０】
0004611986.tif 000011
【図１１】
0004611986.tif 000012
【図１２】
0004611986.tif 000013
【図１３】
0004611986.tif 000014
【図１４】
0004611986.tif 000015
【図１５】
0004611986.tif 000016
【図１６】
0004611986.tif 000017
【図１７】
0004611986.tif 000018
【図１８】
0004611986.tif 000019
【図１９】
0004611986.tif 000020
【図２０】
0004611986.tif 000021
【図２１】
0004611986.tif 000022
【図２２】
0004611986.tif 000023
【図２３】
0004611986.tif 000024
【図２４】
0004611986.tif 000025
【図２５】
0004611986.tif 000026